(57)【要約】【課題】特に文房具や小物入れスタンド容器として収納性を高めることができ、かつ容易に組み立て分解のできる斬新で興味のある組み立て式の容器を提供する。【解決手段】弾力性を有するＵ字形の板１ａ、１ｂ、１ｃ。この３枚の構成板のみで形成された容器で、その底部に脱着式の蓋板を取り付けたものである。組み立ては前記の３枚の構成板を向かい合わせで突き合わせ、中心方向へ押し込むことで合体形成されたスタンド形の容器で、固定具を使わずに容器を形成すると同時に、内側に４つの仕切り空間を形成させることを特徴とする組み立て式の容器である。【選択図】図１
0003218955.tif 000002
【実用新案登録請求の範囲】
【請求項１】
弾力性を有するＵ字形の板１ａ、１ｂ、１ｃ。この３枚の構成板のみで形成されたスタンド形の容器で、その底部に脱着式の蓋板を取り付けた組み立て式容器である。組み立ては前記の３枚の構成板を向かい合わせで突き合わせ、中心方向へ押し込むことで合体形成された容器で、固定具を使わずに容器を形成すると同時に内側に４つの仕切り空間を形成させることを特徴とする組み立て式の容器である。
【請求項２】
３枚の構成板の片側の面を図３のように、くの字形の曲げ加工を施した、請求項１に記載の組み立て式容器
【請求項３】
３枚の構成板の中央部の形を図４のように、半円形から角形に変更した、請求項１、又は２に記載の組み立て式容器。
【請求項４】
３枚の構成板の片側の面を図５のように２回曲げ加工を施した、請求項１〜３に記載の組み立て式容器。
【考案の詳細な説明】
【技術分野】
【０００１】本考案は、ペンスタンドや小物入れ等の容器に関する。
【背景技術】
【０００２】従来のペンスタンドや小物入れ等は円筒形や四角形であり、また内側に仕切り板があるのが一般的であるが、一度机上で使い始めると廃棄するまでそのままということが多く、使用しないときはスペースを取るので少し邪魔になる。また盗難の可能性もある。
【考案の概要】
【考案が解決しようとする課題】
【０００３】特に文房具や小物入れ等のスタンド容器として収納性を高めることができ、使用しないときは分解し、コンパクトに収納することができる新規で興味のある組み立て式の容器を提供する。
【課題を解決するための手段】
【０００４】弾力性を有するＵ字形の板１ａ、１ｂ、１ｃ。この３枚の構成板のみで形成されたスタンド形容器で、その底部に脱着のできる簡単な蓋板を設けたものである。組み立ては、前記の３枚の構成板を向かい合わせで突き合わせ、中心に向けて３方向から押し込むことにより合体形成された容器で、固定具を使わずに強固な容器を形成するとともに、内側に４つの仕切り空間を形成することを特徴とする組み立て式の容器である。
【考案の効果】
【０００５】本考案は上記のように組み立てて使用するが、使用しないときは分解し、机の中や棚の横板などにはめ込んで、コンパクトに収納することで場所を効率的に使用できる。
【図面の簡単な説明】
【０００６】
【図１】この考案の実施形態を示す斜視図である。
【図２】この考案の実施方法を示す斜視図である。
【図３】請求項２の斜視図である。
【図４】請求項３の斜視図である。
【図５】請求項４の斜視図である。
【図６】請求項３の実施方法を示す斜視図である。
【図７】請求項３のペンスタンドとしての斜視図である。
【図８】請求項３の傘立てとしての実施方法を示す。
【図９】請求項４の小物入れとしての斜視図である。
【考案を実施するための形態】
【０００７】請求項３で説明すると。弾力性を有するＵ字形の板で片側にくの字の曲げ加工を施した１ａ、１ｂ、１ｃ。この３枚の構成板のみで形成されたスタンド形の容器で、そのままでも使用できるが、その底部に簡単な脱着式の蓋板を設けたものである。
【０００８】組み立ては、前記した３枚の構成板を向かい合わせで突合せ、中心方向へ押し込むことで合体形成されたスタンド形の容器で、同時に内側に４つの仕切り空間を形成させることができる。なおこの容器は３枚の構成板同士が接する部分でお互いを強く押さえあうため横方向へ分解することは困難である。
【０００９】分解収納するときは前記の３枚の構成板のうちの１枚を上方向に引き抜くことで分解できる。この３枚の構成板はそれぞれ大きさが板厚分だけ違うので、図７の分解後の中間図のようにきれいに重ねられ、蓋板と一緒に机の中や棚などの横板にはめ込むことによりすっきり収納できる。
【実施例１】
【００１０】図７は本考案の実施例であって、雨の日は下駄箱の外に傘立てとして使用するが、晴れている日はげた箱の中の横板にはめ込んで収納できるので下駄箱の周りがすっきりする。
【符号の説明】
【００１１】１  構成板
２  蓋板
【図１】
0003218955.tif 000003
【図２】
0003218955.tif 000004
【図３】
0003218955.tif 000005
【図４】
0003218955.tif 000006
【図５】
0003218955.tif 000007
【図６】
0003218955.tif 000008
【図７】
0003218955.tif 000009
【図８】
0003218955.tif 000010
【図９】
0003218955.tif 000011
【手続補正書】
【提出日】平成30年8月6日(2018.8.6)
【手続補正１】
【補正対象書類名】実用新案登録請求の範囲
【補正対象項目名】全文
【補正方法】変更
【補正の内容】
【実用新案登録請求の範囲】
【請求項１】
可撓性を有し、上面視で略Ｕ字形状の３つのＵ字状板材を備え、
前記３つのＵ字状板材は同形状を有し、その側面の開口を互いに向き合わせた状態で同心円状に同間隔で配置し、当該３つのＵ字状板材を中心方向へ押し込むことで組み立てられる、ことを特徴とする組み立て式容器。
【請求項２】
前記３枚のＵ字状板材は、その高さは同じであり、且つそれぞれ大きさが板厚分だけ違うように構成されている、ことを特徴とする請求項１記載の組み立て式容器。
【請求項３】
前記Ｕ字状板材の側面に形成された開口の一辺は、隣接するＵ字状板材の外側面に係止され、
前記Ｕ字状板材の側面に形成された開口の他の一辺は、隣接する他のＵ字状板材の内側面に係止されることで組み立てられ、その結果、４つの仕切り空間が形成される、ことを特徴とする請求項１又は２記載の組み立て式容器。
【請求項４】
前記Ｕ字状板材には、上面視でくの字形となるよう内方に向かって折曲された折曲辺が形成され、
前記Ｕ字状板材の側面に形成された開口の一辺は、隣接するＵ字状板材の外側面に係止され、
前記Ｕ字状板材の側面に形成された開口の前記折曲辺側の他の一辺は、隣接する他のＵ字状板材の折曲辺に内側から係止されることで組み立てられ、その結果、４つの仕切り空間が形成される、ことを特徴とする請求項１又は２記載の組み立て式容器。
【請求項５】
前記Ｕ字状板材は、３つの矩形面が連続一体して構成されることで上面視で略Ｕ字形状を有し、
端側の１の矩形面には、上面視でくの字形となるよう内方に向かって折曲された折曲辺が形成され、
前記Ｕ字状板材の側面に形成された開口の一辺は、隣接するＵ字状板材の外側面に係止され、
前記Ｕ字状板材の側面に形成された開口の前記折曲辺側の他の一辺は、隣接する他のＵ字状板材の折曲辺に内側から係止されることで組み立てられ、その結果、４つの仕切り空間が形成される、ことを特徴とする請求項１又は２記載の組み立て式容器。
【請求項６】
前記Ｕ字状板材は、３つの矩形面が連続一体して構成されることで上面視で略Ｕ字形状を有し、
端側の１の矩形面には、段差部が形成され、
前記Ｕ字状板材の側面に形成された開口の一辺は、隣接するＵ字状板材の外側面に係止され、
前記Ｕ字状板材の側面に形成された開口の前記段差部側の他の一辺は、隣接する他のＵ字状板材の段差部に内側から係止されることで組み立てられ、その結果、４つの仕切り空間が形成される、ことを特徴とする請求項１又は２記載の組み立て式容器。
【請求項７】
前記４つの仕切り空間は、中心に形成された１の仕切り空間と、当該仕切り空間の外側に同心円状に形成された同形状の３つの仕切り空間とからなり、
前記中心に形成された１の仕切り空間は、上面視で三角形状を有する、ことを特徴とする請求項３乃至６のいずれか一項に記載の組み立て式容器。
【請求項８】
前記組み立て式容器は、さらに、その底部に前記Ｕ字状板材の底部と脱着可能な底蓋を備える、ことを特徴とする請求項１乃至７のいずれか一項に記載の組み立て式容器。
【手続補正２】
【補正対象書類名】明細書
【補正対象項目名】０００４
【補正方法】変更
【補正の内容】
【０００４】
上記目的を達成するために本考案に係る組み立て式容器は、可撓性を有し、上面視で略Ｕ字形状の３つのＵ字状板材を備え、前記３つのＵ字状板材は同形状を有し、その側面の開口を互いに向き合わせた状態で同心円状に同間隔で配置し、当該３つのＵ字状板材を中心方向へ押し込むことで組み立てられる、ことを特徴とする。